(57)【特許請求の範囲】
【請求項１】
大便器の上に設置される衛生洗浄装置であって、
外部から水が供給される給水配管を備え、
前記給水配管は、前記大便器の背後の壁に設けられ前記衛生洗浄装置の背後に位置する第１の貫通孔を介して前記壁の背後に通され、
前記給水配管の先端は、前記大便器の下方において前記壁に設けられた第２の貫通孔から露出され、前記大便器の下方において前記壁の前方に配置され外部から供給される水を止水可能な止水栓に接続されることを特徴とする衛生洗浄装置。
【請求項２】
前記大便器の上面に対して前記壁から離れる方向へスライドして前記大便器から解除可能な着脱装置をさらに備え、
前記壁の背後には、前記第１の貫通孔と前記第２の貫通孔との間隔よりも長い前記給水配管の余剰部分を収容可能なスペースが設けられ、
前記給水配管は、可撓性を有し、
前記給水配管の前記スペースに収容された前記余剰部分を前記第１の貫通孔から引き出しつつ、前記壁から離れる方向へスライド可能とされたことを特徴とする請求項１記載の衛生洗浄装置。
【請求項３】
外部から電力が供給される電線をさらに備え、
前記電線は、前記壁にさらに設けられ前記衛生洗浄装置の背後に位置する第３の貫通孔を通して前記壁の背後に設置された電源コンセントに差し込み可能であることを特徴とする請求項１記載の衛生洗浄装置。
【請求項４】
大便器の上に設置される衛生洗浄装置であって、
外部から水が供給される給水配管を備え、
前記給水配管は、前記大便器の背後の壁の前方に設けられたパネル体に設けられ前記衛生洗浄装置の背後に位置する第１の貫通孔を介して前記パネル体の背後に通され、
前記給水配管の先端は、前記大便器の下方において前記パネル体に設けられた第２の貫通孔から露出され、前記大便器の下方において前記壁の前方に配置され外部から供給される水を止水可能な止水栓に接続されることを特徴とする衛生洗浄装置。
【請求項５】
前記大便器の上面に対して前記壁から離れる方向へスライドして前記大便器から解除可能な着脱装置をさらに備え、
前記壁と前記パネル体とのあいだには、前記第１の貫通孔と前記第２の貫通孔との間隔よりも長い前記給水配管の余剰部分を収容可能なスペースが設けられ、
前記給水配管は、可撓性を有し、
前記給水配管の前記スペースに収容された前記余剰部分を前記第１の貫通孔から引き出しつつ、前記壁から離れる方向へスライド可能とされたことを特徴とする請求項４記載の衛生洗浄装置。
【請求項６】
外部から電力が供給される電線をさらに備え、
前記電線は、前記パネル体にさらに設けられ前記衛生洗浄装置の背後に位置する第３の貫通孔を通して前記壁の背後に設置された電源コンセントに差し込み可能であることを特徴とする請求項４記載の衛生洗浄装置。
【請求項７】
前記給水配管の一端は、前記衛生洗浄装置のケーシングの前記壁の側の後方部に接続され、
前記第１の貫通孔は、前記衛生洗浄装置を前方から後方へ向かってみたときに前記ケーシングにより隠れる位置に設けられ、
前記給水配管は、前記後方部から前記ケーシングの側方に露出せずに前記第１の貫通孔に通されることを特徴とする請求項１〜６のいずれか１つに記載の衛生洗浄装置。
【請求項８】
前記ケーシングの左右方向の長さは、前記大便器の左右方向の長さと略同じであることを特徴とする請求項７記載の衛生洗浄装置。
【請求項９】
大便器の上に設置される衛生洗浄装置の給水配管構造であって、
外部から水が供給される給水配管を有する衛生洗浄装置と、
前記大便器の背後に設置され、前記衛生洗浄装置の背後に位置する第１の貫通孔と、前記大便器の下方に位置する第２の貫通孔と、を有する壁と、
前記大便器の下方において前記壁の前方に配置され外部から供給される水を止水可能な止水栓と、
を備え、
前記給水配管は、前記第１の貫通孔を介して前記壁の背後に通され、
前記給水配管の先端は、前記第２の貫通孔から露出され前記止水栓に接続されたことを特徴とする衛生洗浄装置の給水配管構造。
【請求項１０】
大便器の上に設置される衛生洗浄装置の給水配管構造であって、
外部から水が供給される給水配管を有する衛生洗浄装置と、
前記大便器の背後に設置された壁と、
前記衛生洗浄装置の背後に位置する第１の貫通孔と、前記大便器の下方に位置する第２の貫通孔と、を有し、前記壁の前方に設けられたパネル体と、
前記大便器の下方において前記壁の前方に配置され外部から供給される水を止水可能な止水栓と、
を備え、
前記給水配管は、前記第１の貫通孔を介して前記パネル体の背後に通され、
前記給水配管の先端は、前記第２の貫通孔から露出され前記止水栓に接続されたことを特徴とする衛生洗浄装置の給水配管構造。
【請求項１１】
前記給水配管の一端は、前記衛生洗浄装置のケーシングの前記壁の側の後方部に接続され、
前記第１の貫通孔は、前記衛生洗浄装置を前方から後方へ向かってみたときに前記ケーシングにより隠れる位置に設けられ、
前記給水配管は、前記後方部から前記ケーシングの側方に露出せずに前記第１の貫通孔に通されたことを特徴とする請求項９または１０に記載の衛生洗浄装置の給水配管構造。
【請求項１２】
大便器の上に設置される衛生洗浄装置の取付方法であって、
前記大便器の背後に設置する壁に、前記衛生洗浄装置の背後に位置する第１の貫通孔と、前記大便器の下方に位置する第２の貫通孔と、を形成し、
外部から供給される水を止水可能な止水栓を前記大便器の下方における前記壁の前方に配置し、
外部から水が供給される給水配管を前記第１の貫通孔を介して前記壁の背後に通し、前記給水配管の先端を前記第２の貫通孔から露出させ前記止水栓に接続することを特徴とする衛生洗浄装置の取付方法。
【請求項１３】
大便器の上に設置される衛生洗浄装置の取付方法であって、
前記大便器の背後に壁を設置し、
前記壁の前方に設けるパネル体に、前記衛生洗浄装置の背後に位置する第１の貫通孔と、前記大便器の下方に位置する第２の貫通孔と、を形成し、
外部から供給される水を止水可能な止水栓を前記大便器の下方における前記壁の前方に配置し、
外部から水が供給される給水配管を前記第１の貫通孔を介して前記パネル体の背後に通し、前記給水配管の先端を前記第２の貫通孔から露出させ前記止水栓に接続することを特徴とする衛生洗浄装置の取付方法。
【請求項１４】
前記第１の貫通孔を、前記衛生洗浄装置を前方から後方へ向かってみたときに前記衛生洗浄装置のケーシングにより隠れる位置に形成し、
前記給水配管の一端を、前記ケーシングの前記壁の側の後方部に接続し、
前記給水配管を、前記後方部から前記ケーシングの側方に露出せずに前記第１の貫通孔に通すことを特徴とする請求項１２または１３に記載の衛生洗浄装置の取付方法。
【発明の詳細な説明】
【技術分野】
【０００１】
本発明の態様は、一般的に、衛生洗浄装置ならびに衛生洗浄装置の給水配管構造および取付方法に関する。
【背景技術】
【０００２】
例えば「シートタイプ」などと呼ばれ、既存の大便器の上に取り付けて使用する衛生洗浄装置には、給水ホースにより水が供給されている。給水ホースは、大便器の側方に設けられた止水栓と、衛生洗浄装置の本体ケースの側面と、に連結され大便器の側方に露出している。そのため、給水ホースは、衛生洗浄装置の見栄えを低下させているという問題がある。
【０００３】
これに対して、給水ホースの露出により見栄えが低下することを防止するため、大便器を特殊な形状にして大便器の空洞部に給水ホースを隠すものが提案されている（特許文献１〜３）。しかしながら、特許文献１〜３に記載された大便器は、特殊な形状を有する。そのため、例えばシートタイプの衛生洗浄装置などのように、比較的多くの種類の既存の大便器に対して便座に代えて衛生洗浄装置を取り付ける場合には、特許文献１〜３に記載されたような給水ホースを隠す構造を採用することはできない。
【０００４】
また、大便器の後方（背面側）に設けられた配管収納ケースの内部に止水栓を設置し、衛生洗浄装置の背面に連結された給水ホースを配管収納ケースの内部に隠して止水栓と接続させるものがある。しかしながら、この場合には、止水栓が配管収納ケースの内部に設置されているため、止水栓を簡単に操作することができず、メンテナンスの手間がかかるという問題がある。
【先行技術文献】
【特許文献】
【０００５】
【特許文献１】欧州特許第１３１７５８６号明細書
【特許文献２】特開２００８−２４０４３７号公報
【特許文献３】特開２００８−９５３９６号公報
【発明の概要】
【発明が解決しようとする課題】
【０００６】
本発明は、かかる課題の認識に基づいてなされたものであり、大便器の上に取り付けて使用する衛生洗浄装置において、給水ホースを隠蔽することができ、止水栓を簡単に操作することができる衛生洗浄装置ならびに衛生洗浄装置の給水配管構造および取付方法を提供することを目的とする。
【課題を解決するための手段】
【０００７】
第１の発明は、大便器の上に設置される衛生洗浄装置であって、外部から水が供給される給水配管を備え、前記給水配管は、前記大便器の背後の壁に設けられ前記衛生洗浄装置の背後に位置する第１の貫通孔を介して前記壁の背後に通され、前記給水配管の先端は、前記大便器の下方において前記壁に設けられた第２の貫通孔から露出され、前記大便器の下方において前記壁の前方に配置され外部から供給される水を止水可能な止水栓に接続されることを特徴とする衛生洗浄装置である。
【０００８】
この衛生洗浄装置によれば、給水配管は、大便器の背後の壁に設けられ衛生洗浄装置の背後に位置する第１の貫通孔を介して壁の背後に通される。そして、給水配管の先端は、大便器の下方において壁に設けられた第２の貫通孔から露出され止水栓に接続される。そのため、衛生洗浄装置が例えば「シートタイプ」などと呼ばれ、既存の大便器の上に取り付けて使用する衛生洗浄装置の場合でも、給水配管のほとんどを隠蔽することができる。そのため、衛生洗浄装置の見栄えが低下することを抑え、デザイン性を向上させることができる。また、止水栓は、大便器の下方における壁から露出している。そのため、衛生洗浄装置のメンテナンスを行う際には、より容易に止水栓を操作することができる。  
第２の発明は、第１の発明において、前記大便器の上面に対して前記壁から離れる方向へスライドして前記大便器から解除可能な着脱装置をさらに備え、前記壁の背後には、前記第１の貫通孔と前記第２の貫通孔との間隔よりも長い前記給水配管の余剰部分を収容可能なスペースが設けられ、前記給水配管は、可撓性を有し、前記給水配管の前記スペースに収容された前記余剰部分を前記第１の貫通孔から引き出しつつ、前記壁から離れる方向へスライド可能とされたことを特徴とする衛生洗浄装置である。
この衛生洗浄装置によれば、衛生洗浄装置を壁から離れる方向へスライドさせ大便器から取り外すと、壁の背後のスペースに収容された給水配管の余剰部分が第１の貫通孔から引き出される。また、給水配管は、可撓性を有する。そのため、給水配管を衛生洗浄装置および止水栓に接続したままでも、衛生洗浄装置を前方へスライドさせ大便器から取り外すことで、衛生洗浄装置や給水配管などの修理および点検を行うことができる。
第３の発明は、第１の発明において、外部から電力が供給される電線をさらに備え、前記電線は、前記壁にさらに設けられ前記衛生洗浄装置の背後に位置する第３の貫通孔を通して前記壁の背後に設置された電源コンセントに差し込み可能であることを特徴とする衛生洗浄装置である。
この衛生洗浄装置によれば、給水配管だけでなく電気配線を隠蔽することができる。これにより、衛生洗浄装置の見栄えが低下することをさらに抑え、デザイン性をより向上させることができる。
【０００９】
また、第４の発明は、大便器の上に設置される衛生洗浄装置であって、外部から水が供給される給水配管を備え、前記給水配管は、前記大便器の背後の壁の前方に設けられたパネル体に設けられ前記衛生洗浄装置の背後に位置する第１の貫通孔を介して前記パネル体の背後に通され、前記給水配管の先端は、前記大便器の下方において前記パネル体に設けられた第２の貫通孔から露出され、前記大便器の下方において前記壁の前方に配置され外部から供給される水を止水可能な止水栓に接続されることを特徴とする衛生洗浄装置である。
【００１０】
この衛生洗浄装置によれば、給水配管は、パネル体に設けられ衛生洗浄装置の背後に位置する第１の貫通孔を介してパネル体の背後に通される。そして給水配管の先端は、大便器の下方においてパネル体に設けられた第２の貫通孔から露出され止水栓に接続される。パネル体は、大便器の背後の壁の前方に設けられる。そのため、第１の発明の効果に加え、既設の大便器を交換したり、壁の修繕を行うことなく、給水配管のほとんどを隠蔽することができる。そのため、作業の手間やコストなどを抑えつつ、衛生洗浄装置の見栄えが低下することを抑え、デザイン性を向上させることができる。  
第５の発明は、第４の発明において、前記大便器の上面に対して前記壁から離れる方向へスライドして前記大便器から解除可能な着脱装置をさらに備え、前記壁と前記パネル体とのあいだには、前記第１の貫通孔と前記第２の貫通孔との間隔よりも長い前記給水配管の余剰部分を収容可能なスペースが設けられ、前記給水配管は、可撓性を有し、前記給水配管の前記スペースに収容された前記余剰部分を前記第１の貫通孔から引き出しつつ、前記壁から離れる方向へスライド可能とされたことを特徴とする衛生洗浄装置である。
この衛生洗浄装置によれば、衛生洗浄装置を壁から離れる方向へスライドさせ大便器から取り外すと、壁とパネル体との間のスペースに収容された給水配管の余剰部分が第１の貫通孔から引き出される。また、給水配管は、可撓性を有する。そのため、給水配管を衛生洗浄装置および止水栓に接続したままでも、衛生洗浄装置を前方へスライドさせ大便器から取り外すことで、衛生洗浄装置や給水配管などの修理および点検を行うことができる。
第６の発明は、第４の発明において、外部から電力が供給される電線をさらに備え、前記電線は、前記パネル体にさらに設けられ前記衛生洗浄装置の背後に位置する第３の貫通孔を通して前記壁の背後に設置された電源コンセントに差し込み可能であることを特徴とする衛生洗浄装置である。
この衛生洗浄装置によれば、給水配管だけでなく電気配線を隠蔽することができる。これにより、衛生洗浄装置の見栄えが低下することをさらに抑え、デザイン性をより向上させることができる。
【００１１】
また、第７の発明は、第１〜６のいずれか１つの発明において、前記給水配管の一端は、前記衛生洗浄装置のケーシングの前記壁の側の後方部に接続され、前記第１の貫通孔は、前記衛生洗浄装置を前方から後方へ向かってみたときに前記ケーシングにより隠れる位置に設けられ、前記給水配管は、前記後方部から前記ケーシングの側方に露出せずに前記第１の貫通孔に通されることを特徴とする衛生洗浄装置である。
【００１２】
この衛生洗浄装置によれば、衛生洗浄装置の周りからも給水配管を見えなくすることができる。そのため、衛生洗浄装置の見栄えが低下することをさらに抑え、デザイン性をより向上させることができる。
【００１３】
また、第８の発明は、第７の発明において、前記ケーシングの左右方向の長さは、前記大便器の左右方向の長さと略同じであることを特徴とする衛生洗浄装置である。
【００１４】
この衛生洗浄装置によれば、ケーシングの左右方向の長さが大便器の左右方向の長さと略同じであるため、衛生洗浄装置と大便器との組み合わせがすっきりとした外観となる。そのため、デザイン性をより向上させることができる。
【００１９】
また、第９の発明は、大便器の上に設置される衛生洗浄装置の給水配管構造であって、外部から水が供給される給水配管を有する衛生洗浄装置と、前記大便器の背後に設置され、前記衛生洗浄装置の背後に位置する第１の貫通孔と、前記大便器の下方に位置する第２の貫通孔と、を有する壁と、前記大便器の下方において前記壁の前方に配置され外部から供給される水を止水可能な止水栓と、を備え、前記給水配管は、前記第１の貫通孔を介して前記壁の背後に通され、前記給水配管の先端は、前記第２の貫通孔から露出され前記止水栓に接続されたことを特徴とする衛生洗浄装置の給水配管構造である。
【００２０】
この衛生洗浄装置の給水配管構造によれば、給水配管は、第１の貫通孔を介して壁の背後に通されている。そして、給水配管の先端は、第２の貫通孔から露出され止水栓に接続されている。第１の貫通孔は、壁に設けられ、衛生洗浄装置の背後に位置する。第２の貫通孔は、壁に設けられ、大便器の下方に位置する。そのため、衛生洗浄装置が例えば「シートタイプ」などと呼ばれ、既存の大便器の上に取り付けて使用する衛生洗浄装置の場合でも、給水配管のほとんどを隠蔽することができる。そのため、衛生洗浄装置の見栄えが低下することを抑え、デザイン性を向上させることができる。また、止水栓は、大便器の下方における壁から露出している。そのため、衛生洗浄装置のメンテナンスを行う際には、より容易に止水栓を操作することができる。
【００２１】
また、第１０の発明は、大便器の上に設置される衛生洗浄装置の給水配管構造であって、外部から水が供給される給水配管を有する衛生洗浄装置と、前記大便器の背後に設置された壁と、前記衛生洗浄装置の背後に位置する第１の貫通孔と、前記大便器の下方に位置する第２の貫通孔と、を有し、前記壁の前方に設けられたパネル体と、前記大便器の下方において前記壁の前方に配置され外部から供給される水を止水可能な止水栓と、を備え、前記給水配管は、前記第１の貫通孔を介して前記パネル体の背後に通され、前記給水配管の先端は、前記第２の貫通孔から露出され前記止水栓に接続されたことを特徴とする衛生洗浄装置の給水配管構造である。
【００２２】
この衛生洗浄装置の給水配管構造によれば、給水配管は、第１の貫通孔を介してパネル体の背後に通されている。そして、給水配管の先端は、第２の貫通孔から露出され止水栓に接続されている。パネル体は、大便器の背後の壁の前方に設けられる。第１の貫通孔は、パネル体に設けられ、衛生洗浄装置の背後に位置する。第２に貫通孔は、パネル体に設けられ、大便器の下方に位置する。そのため、第７の発明の効果に加え、既設の大便器を交換したり、壁の修繕を行うことなく、給水配管のほとんどを隠蔽することができる。そのため、作業の手間やコストなどを抑えつつ、衛生洗浄装置の見栄えが低下することを抑え、デザイン性を向上させることができる。
【００２３】
また、第１１の発明は、第９または第１０の発明において、前記給水配管の一端は、前記衛生洗浄装置のケーシングの前記壁の側の後方部に接続され、前記第１の貫通孔は、前記衛生洗浄装置を前方から後方へ向かってみたときに前記ケーシングにより隠れる位置に設けられ、前記給水配管は、前記後方部から前記ケーシングの側方に露出せずに前記第１の貫通孔に通されたことを特徴とする衛生洗浄装置の給水配管構造である。
【００２４】
この衛生洗浄装置の給水配管構造によれば、衛生洗浄装置の周りからも給水配管を見えなくすることができる。そのため、衛生洗浄装置の見栄えが低下することをさらに抑え、デザイン性をより向上させることができる。
【００２５】
また、第１２の発明は、大便器の上に設置される衛生洗浄装置の取付方法であって、前記大便器の背後に設置する壁に、前記衛生洗浄装置の背後に位置する第１の貫通孔と、前記大便器の下方に位置する第２の貫通孔と、を形成し、外部から供給される水を止水可能な止水栓を前記大便器の下方における前記壁の前方に配置し、外部から水が供給される給水配管を前記第１の貫通孔を介して前記壁の背後に通し、前記給水配管の先端を前記第２の貫通孔から露出させ前記止水栓に接続することを特徴とする衛生洗浄装置の取付方法である。
【００２６】
この衛生洗浄装置の取付方法によれば、外部から水が供給される給水配管を第１の貫通孔を介して壁の背後に通す。そして、給水配管の先端を第２の貫通孔から露出させ止水栓に接続する。第１の貫通孔は、大便器の背後に設置する壁に設けられ、衛生洗浄装置の背後に位置する。第２の貫通孔は、大便器の背後に設置する壁に設けられ、大便器の下方に位置する。そのため、衛生洗浄装置が例えば「シートタイプ」などと呼ばれ、既存の大便器の上に取り付けて使用する衛生洗浄装置の場合でも、給水配管のほとんどを隠蔽することができる。そのため、衛生洗浄装置の見栄えが低下することを抑え、デザイン性を向上させることができる。また、止水栓は、大便器の下方における壁から露出している。そのため、衛生洗浄装置のメンテナンスを行う際には、より容易に止水栓を操作することができる。
【００２７】
また、第１３の発明は、大便器の上に設置される衛生洗浄装置の取付方法であって、前記大便器の背後に壁を設置し、前記壁の前方に設けるパネル体に、前記衛生洗浄装置の背後に位置する第１の貫通孔と、前記大便器の下方に位置する第２の貫通孔と、を形成し、外部から供給される水を止水可能な止水栓を前記大便器の下方における前記壁の前方に配置し、外部から水が供給される給水配管を前記第１の貫通孔を介して前記パネル体の背後に通し、前記給水配管の先端を前記第２の貫通孔から露出させ前記止水栓に接続することを特徴とする衛生洗浄装置の取付方法である。
【００２８】
この衛生洗浄装置の取付方法によれば、外部から水が供給される給水配管を第１の貫通孔を介してパネル体の背後に通す。そして、給水配管の先端を第２の貫通孔から露出させ止水栓に接続する。パネル体は、大便器の背後の壁の前方に設けられる。第１の貫通孔は、パネル体に設けられ、衛生洗浄装置の背後に位置する。第２に貫通孔は、パネル体に設けられ、大便器の下方に位置する。そのため、第９の発明の効果に加え、既設の大便器を交換したり、壁の修繕を行うことなく、給水配管のほとんどを隠蔽することができる。そのため、作業の手間やコストなどを抑えつつ、衛生洗浄装置の見栄えが低下することを抑え、デザイン性を向上させることができる。
【００２９】
また、第１４の発明は、第１２または第１３の発明において、前記第１の貫通孔を、前記衛生洗浄装置を前方から後方へ向かってみたときに前記衛生洗浄装置のケーシングにより隠れる位置に形成し、前記給水配管の一端を、前記ケーシングの前記壁の側の後方部に接続し、前記給水配管を、前記後方部から前記ケーシングの側方に露出せずに前記第１の貫通孔に通すことを特徴とする衛生洗浄装置の取付方法である。
【００３０】
この衛生洗浄装置の取付方法によれば、衛生洗浄装置の周りからも給水配管を見えなくすることができる。そのため、衛生洗浄装置の見栄えが低下することをさらに抑え、デザイン性をより向上させることができる。
【発明の効果】
【００３１】
本発明の態様によれば、大便器の上に取り付けて使用する衛生洗浄装置において、給水ホースを隠蔽することができ、止水栓を簡単に操作することができる衛生洗浄装置ならびに衛生洗浄装置の給水配管構造および取付方法が提供される。
【図面の簡単な説明】
【００３２】
【図１】本発明の実施の形態にかかる衛生洗浄装置ならびに衛生洗浄装置の給水配管構造および取付方法を表す模式図である。
【図２】本発明の他の実施の形態にかかる衛生洗浄装置ならびに衛生洗浄装置の給水配管構造および取付方法を表す模式図である。
【図３】本実施形態の給水配管の取り回しの一例を例示する斜視模式図である。
【図４】本実施形態の給水配管の取り回しの他の一例を例示する斜視模式図である。
【図５】図４に表した給水配管の取り回しの一例を前方の斜めから眺めた斜視模式図である。
【図６】本発明の実施の形態にかかる衛生洗浄装置ならびに衛生洗浄装置の給水配管構造および取付方法の具体例を表す模式図である。
【図７】本具体例のフレームを表す平面模式図である。
【図８】本具体例の止水栓の給水配管構造を表す斜視模式図である。
【図９】本具体例の化粧パネルと壁との位置関係を表す平面模式図である。
【図１０】本具体例の化粧パネルと衛生洗浄装置と大便器との配置関係を表す平面模式図である。
【図１１】本発明の他の実施の形態にかかる衛生洗浄装置ならびに衛生洗浄装置の給水配管構造および取付方法の具体例を表す模式図である。
【図１２】本具体例のパネル体を表す平面模式図である。
【発明を実施するための形態】
【００３３】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置ならびに衛生洗浄装置の給水配管構造および取付方法を表す模式図である。  
なお、図１（ａ）は、本実施形態にかかる衛生洗浄装置を側方から眺めた断面模式図であり、図１（ｂ）は、本実施形態にかかる衛生洗浄装置を前方から眺めた平面模式図である。
【００３４】
本実施形態にかかる衛生洗浄装置１００は、大便器２００の上に設置されている。大便器２００は、衛生洗浄装置１００および大便器２００の後方（背後）に設置された壁３００に取り付けられている。衛生洗浄装置１００は、ケーシング１１０と、便座１２０と、便蓋１３０と、を有する。便座１２０と便蓋１３０とは、ケーシング１１０に対して開閉自在にそれぞれ軸支されている。但し、便蓋１３０は、必ずしも設けられていなくともよい。
【００３５】
本願明細書において、便座１２０に座った使用者からみて前方を「前方」とし、便座１２０に座った使用者からみて後方を「後方」とする。
【００３６】
ケーシング１１０の内部には、便座１２０に座った使用者の「おしり」などの洗浄を実現する身体洗浄機能部などが内蔵されている。例えば、ケーシング１１０には、使用者が便座１２０に座ったことを検知する図示しない着座検知センサが設けられている。着座検知センサが便座１２０に座った使用者を検知している場合において、使用者が例えばリモコンなどの図示しない操作部を操作すると、ケーシング１１０に内蔵された図示しない洗浄ノズルを大便器２００のボウル内に進出させることができる。
【００３７】
洗浄ノズルの先端部には、ひとつあるいは複数の吐水口が設けられている。そして、洗浄ノズルは、その先端部に設けられた吐水口から水を噴射して、便座１２０に座った使用者の「おしり」などを洗浄することができる。なお、本願明細書において「水」という場合には、冷水のみならず、加温されたお湯も含むものとする。
【００３８】
このような「おしり」などの洗浄を実現するため、衛生洗浄装置１００には、外部から水が供給される給水配管１１１が接続されている。大便器２００の下方における壁３００の前方には、止水栓３８０が設けられている。止水栓３８０は、外部から供給される水を止水可能である。止水栓３８０には、給水配管１１１の先端が接続されている。つまり、給水配管１１１の一端は、衛生洗浄装置１００に接続され、給水配管１１１の他端は、止水栓３８０に接続されている。
【００３９】
壁３００には、第１の貫通孔３１０と、第２の貫通孔３２０と、が設けられている。図１（ａ）に表したように、第１の貫通孔３１０は、衛生洗浄装置１００の後方の壁３００に設けられている。つまり、図１（ｂ）に表したように、第１の貫通孔３１０は、衛生洗浄装置１００を前方から後方へ向かってみたときに、ケーシング１１０により隠れる位置に設けられている。一方、第２の貫通孔３２０は、大便器２００の下方の壁３００に設けられている。つまり、第２の貫通孔３２０は、大便器２００を前方から後方へ向かってみたときに、第２の貫通孔３２０の少なくとも一部が大便器２００の下方から見える位置に設けられている。
【００４０】
図１（ａ）に表したように、給水配管１１１は、第１の貫通孔３１０を介して壁３００の背後に通されている。そして、給水配管１１１の先端は、第２の貫通孔３２０から露出され、止水栓３８０と接続されている。これによれば、衛生洗浄装置１００が例えば「シートタイプ」などと呼ばれ、多くの種類の既存の大便器２００の上に取り付けて使用する衛生洗浄装置の場合でも、給水配管１１１のほとんどを隠蔽することができる。そのため、衛生洗浄装置１００の見栄えが低下することを抑え、デザイン性を向上させることができる。また、図１（ａ）および図１（ｂ）に表したように、止水栓３８０は、大便器２００の下方における壁３００から露出している。そのため、衛生洗浄装置１００のメンテナンスを行う際には、より容易に止水栓３８０を操作することができる。
【００４１】
なお、本実施形態では、第１の貫通孔３１０と第２の貫通孔３２０とは、別個に存在しているが、これだけに限定されるわけではない。第１の貫通孔３１０と第２の貫通孔３２０とは、互いに繋がっていてもよい。つまり、衛生洗浄装置１００を前方から後方へ向かってみたときに、ケーシング１１０により隠れる位置に設けられた部分と、大便器２００の下方から見える位置に設けられた部分と、を有する貫通孔が壁３００に設けられていればよい。この場合でも、前述した効果が得られる。
【００４２】
図２は、本発明の他の実施の形態にかかる衛生洗浄装置ならびに衛生洗浄装置の給水配管構造および取付方法を表す模式図である。  
なお、図２（ａ）は、本実施形態にかかる衛生洗浄装置を側方から眺めた断面模式図であり、図２（ｂ）は、本実施形態にかかる衛生洗浄装置を前方から眺めた平面模式図である。
【００４３】
本実施形態では、壁３００の前方、より詳しくは、壁３００と大便器２００のボウル部２０１（図６参照）とのあいだにパネル体４００が設けられている。パネル体４００には、第１の貫通孔４１０と、第２の貫通孔４２０と、が設けられている。第１の貫通孔４１０は、衛生洗浄装置１００の後方のパネル体４００に設けられている。つまり、図２（ｂ）に表したように、第１の貫通孔４１０は、衛生洗浄装置１００を前方から後方へ向かってみたときに、ケーシング１１０により隠れる位置に設けられている。一方、第２の貫通孔４２０は、大便器２００の下方のパネル体４００に設けられている。つまり、第２の貫通孔４２０は、大便器２００を前方から後方へ向かってみたときに、第２の貫通孔４２０の少なくとも一部が大便器２００の下方から見える位置に設けられている。
【００４４】
大便器２００は、パネル体４００の後方に設置された壁３００に取り付けられている。止水栓３８０は、大便器２００の下方における壁３００の前方に設けられている。図２（ａ）に表したように、給水配管１１１は、第１の貫通孔４１０を介してパネル体４００の背後に通されている。すなわち、給水配管１１１は、壁３００とパネル体４００とのあいだに隠蔽されている。そして、給水配管１１１の先端は、第２の貫通孔４２０から露出され、止水栓３８０と接続されている。その他の衛生洗浄装置１００ならびに衛生洗浄装置１００の給水配管構造および取付方法は、図１に関して前述した衛生洗浄装置１００ならびに衛生洗浄装置１００の給水配管構造および取付方法と同様である。
【００４５】
本実施形態によれば、壁３００と、パネル体４００と、の間に給水配管１１１が隠蔽されているため、既設の大便器２００を交換したり、壁３００の修繕を行うことなく、給水配管１１１のほとんどを隠蔽することができる。そのため、作業の手間やコストなどを抑えつつ、衛生洗浄装置１００の見栄えが低下することを抑え、デザイン性を向上させることができる。また、その他の効果についても、図１に関して前述した効果と同様の効果が得られる。
【００４６】
なお、図１に関して前述した実施形態と同様に、第１の貫通孔４１０と第２の貫通孔４２０とは、互いに繋がっていてもよい。つまり、衛生洗浄装置１００を前方から後方へ向かってみたときに、ケーシング１１０により隠れる位置に設けられた部分と、大便器２００の下方から見える位置に設けられた部分と、を有する貫通孔がパネル体４００に設けられていればよい。この場合でも、前述した効果が得られる。
【００４７】
図３は、本実施形態の給水配管の取り回しの一例を例示する斜視模式図である。  
図３に表した給水配管１１１の取り回しでは、給水配管１１１は、衛生洗浄装置１００の側方部に接続されている。そのため、衛生洗浄装置１００の側方において、給水配管１１１の一部が露出している。但し、給水配管１１１のほとんどは、壁３００の背後あるいは壁３００とパネル体４００との間に収められ隠蔽されている。そのため、衛生洗浄装置１００の見栄えが低下することを抑え、デザイン性を向上させることができる。
【００４８】
図４は、本実施形態の給水配管の取り回しの他の一例を例示する斜視模式図である。  
また、図５は、図４に表した給水配管の取り回しの一例を前方の斜めから眺めた斜視模式図である。  
なお、図４は、本実施形態にかかる衛生洗浄装置を前方へスライドさせた状態を表す斜視模式図である。
【００４９】
図４に表した給水配管１１１の取り回しでは、給水配管１１１は、衛生洗浄装置１００の後方部１０１（壁３００の側の部分）に接続されている。また、前述したように、第１の貫通孔３１０、４１０は、衛生洗浄装置１００を前方から後方へ向かってみたときに、ケーシング１１０により隠れる位置に設けられている。そのため、衛生洗浄装置１００の後方部１０１に接続された給水配管１１１を後方部１０１からケーシング１１０の側方に露出させることなく第１の貫通孔３１０、４１０に通すことができる。これにより、壁３００の背後あるいは壁３００とパネル体４００との間に給水配管１１１を収めて隠蔽することができる。そのため、衛生洗浄装置１００の見栄えが低下することをさらに抑え、デザイン性をより向上させることができる。
【００５０】
また、図５に表したように、ケーシング１１０の横方向（左右方向）の長さと、大便器２００の横方向（左右方向）の長さと、が略同じである場合には、衛生洗浄装置１００と大便器２００との組み合わせがすっきりとした外観となる。そのため、デザイン性をより向上させることができる。
【００５１】
また、図４に表した給水配管１１１は、可撓性を有する。あるいは、図４に表した給水配管１１１は、例えば「フレキシブルホース」などと呼ばれ、金属などにより形成された鋼管と比較すると柔軟性を有する。壁３００の背後あるいは壁３００とパネル体４００との間には、第１の貫通孔３１０、４１０と第２の貫通孔３２０、４２０との間隔よりも長い給水配管１１１の余剰部分を収容可能なスペースが設けられている。さらに、図４に表したように、衛生洗浄装置１００は、大便器２００の上面に対して壁３００やパネル体４００から離れる方向へスライドして大便器２００から解除可能な着脱装置を備える。
【００５２】
より具体的に説明すると、大便器２００には、ベースプレート２１０が固定されている。ベースプレート２１０は、例えばレールのような突起部を有する。一方、衛生洗浄装置１００の底面には、ベースプレート２１０の突起部と係合可能であって突起部に沿ってスライド可能な溝部が設けられている。そして、図示しない取り外しボタンを押してベースプレート２１０に対する衛生洗浄装置１００のロックを解除し、大便器２００の上面に対して壁３００やパネル体４００から離れる方向（前方）へ衛生洗浄装置１００をスライドさせることで大便器２００から取り外すことができる。
【００５３】
これによれば、衛生洗浄装置１００を前方へスライドさせ大便器２００から取り外すと、壁３００の背後あるいは壁３００とパネル体４００との間の収容スペースに収容された給水配管１１１の余剰部分が第１の貫通孔３１０、４１０から引き出される。また、前述したように、給水配管１１１は、可撓性あるいは柔軟性を有する。そのため、給水配管１１１を衛生洗浄装置１００および止水栓３８０に接続したままでも、衛生洗浄装置１００を前方へスライドさせ大便器２００から取り外すことで、衛生洗浄装置１００や給水配管１１１などの修理および点検を行うことができる。
【００５４】
次に、本発明の実施の形態にかかる衛生洗浄装置ならびに衛生洗浄装置の給水配管構造および取付方法の具体例について、図面を参照しつつ説明する。  
まず、図１に関して前述したように、給水配管１１１が壁３００の背後に隠蔽される場合の具体例について説明する。
【００５５】
図６は、本発明の実施の形態にかかる衛生洗浄装置ならびに衛生洗浄装置の給水配管構造および取付方法の具体例を表す模式図である。  
なお、図６（ａ）は、本具体例にかかる衛生洗浄装置を側方から眺めた断面模式図であり、図６（ｂ）は、本具体例にかかる衛生洗浄装置を前方から眺めた平面模式図である。
【００５６】
本具体例の壁３００は、表面パネル３７０と、化粧パネル３６０と、を有する。なお、壁３００は、必ずしも表面パネル３７０と化粧パネル３６０との両方を有してしなくともよく、表面パネル３７０および化粧パネル３６０のいずれか一方を有していてもよい。表面パネル３７０の背後には、フレーム３５０に支持され大便器２００へ供給する水を貯留可能な給水タンク５１０が設けられている。給水タンク５１０の下部には、給水管５２０が設けられている。給水管５２０の一端は、給水タンク５１０に接続され、給水管５２０の他端は、大便器２００に接続されている。給水管５２０は、給水タンク５１０に貯留された水を大便器２００のボウル部２０１に供給することができる。ボウル部２０１は、トラップを介して排水管５３０と接続されている。排水管５３０は、ボウル部２０１から排出される水や小水や汚物などを下水管へ導くことができる。
【００５７】
化粧パネル３６０は、フレーム３５０および表面パネル３７０の前方に付設されている。化粧パネル３６０には、第１の貫通孔３１０と、第２の貫通孔３２０と、第３の貫通孔３３０と、が設けられている。第１の貫通孔３１０と、第２の貫通孔３２０と、は、図１に関して前述した如くである。第３の貫通孔３３０は、図６（ｂ）に表したように、衛生洗浄装置１００を前方から後方へ向かってみたときに、ケーシング１１０により隠れる位置に設けられている。表面パネル３７０にも、化粧パネル３６０と同じ位置に、第１の貫通孔３１０と、第２の貫通孔３２０と、第３の貫通孔３３０と、が設けられている。
【００５８】
衛生洗浄装置１００には、衛生洗浄装置１００を駆動するための電気を供給する電源コード（電線）１１３が接続されている。また、壁３００の背後には、電源コンセント５４０が設けられている。そして、図６（ａ）に表したように、電源コード１１３は、第３の貫通孔３３０を通して壁３００の背後に収められ電源コンセント５４０に差し込まれている。
【００５９】
図７は、本具体例のフレームを表す平面模式図である。  
また、図８は、本具体例の止水栓の給水配管構造を表す斜視模式図である。  
なお、図８（ａ）は、アングルをフレームに取り付ける状態を表す斜視模式図であり、図８（ｂ）は、止水栓を継ぎ手に取り付ける状態を表す斜視模式図である。
【００６０】
図７に表したように、フレーム３５０は、給水タンク５１０を支持することができる。また、フレーム３５０は、給水管５２０および排水管５３０を支持あるいは固定することができる。フレーム３５０には、大便器２００を取り付けるためのボルト３５１が設けられている。つまり、大便器２００は、ボルト３５１や図示しないナットなどによりフレーム３５０に取り付けられる。
【００６１】
また、フレーム３５０には、電源コンセント５４０が取り付けられる孔３５４を有するアングル３５３が設けられている。
【００６２】
図８に表したように、止水栓３８０は、フレーム３５０に固定されたアングル３８２と、アングル３８２に固定された継ぎ手３５５と、を介してフレーム３５０に取り付けられている。止水栓３８０をフレーム３５０に取り付けるときには、まず、図８（ａ）に表したように、例えばねじなどの締結部材３５６によりアングル３８２をフレーム３５０に固定する。続いて、図８（ｂ）に表したように、例えば緩衝部材３８１などを介して締結部材３５６により継ぎ手３５５をアングル３８２に固定する。そして、止水栓３８０を継ぎ手３５５に固定する。このようにして、止水栓３８０は、フレーム３５０に固定されたアングル３８２と、アングル３８２に固定された継ぎ手３５５と、を介してフレーム３５０に取り付けられる。
【００６３】
図９は、本具体例の化粧パネルと壁との位置関係を表す平面模式図である。  
また、図１０は、本具体例の化粧パネルと衛生洗浄装置と大便器との配置関係を表す平面模式図である。  
なお、図１０（ａ）は、化粧パネルと衛生洗浄装置と大便器とを前方から後方へ向かってみたときの平面模式図であり、図１０（ｂ）は、化粧パネルと衛生洗浄装置と大便器とを後方から前方へ向かってみたときの平面模式図である。
【００６４】
図６に関して前述したように、化粧パネル３６０は、フレーム３５０の前方に付設されている。化粧パネル３６０は、第１の貫通孔３１０と、第２の貫通孔３２０と、第３の貫通孔３３０と、を有する。また、化粧パネル３６０は、ボルト孔３４１と、給水管孔３４３と、排水管孔３４５と、を有する。ボルト孔３４１は、フレーム３５０に設けられたボルト３５１を通すことができる。給水管孔３４３は、給水管５２０を通すことができる。つまり、給水管５２０は、化粧パネル３６０の給水管孔３４３を通して給水タンク５１０と大便器２００とを接続している。排水管孔３４５は、排水管５３０を通すことができる。つまり、排水管５３０は、化粧パネル３６０の排水管孔３４５を通して大便器２００と下水管とを接続している。
【００６５】
図１０（ａ）に表したように、第１の貫通孔３１０および第３の貫通孔３３０は、衛生洗浄装置１００を前方から後方へ向かってみたときに、ケーシング１１０により隠れる位置に設けられている。一方、第２の貫通孔３２０は、大便器２００を前方から後方へ向かってみたときに、第２の貫通孔３２０の少なくとも一部が大便器２００の下方から見える位置に設けられている。ボルト孔３４１と、給水管孔３４３と、排水管孔３４５と、は、大便器２００を前方から後方へ向かってみたときに、大便器２００により隠れる位置に設けられている。
【００６６】
本具体例では、図６（ａ）に表したように、給水配管１１１は、化粧パネル３６０に設けられた第１の貫通孔３１０を介して壁３００の背後に通されている。そして、給水配管１１１の先端は、第２の貫通孔３２０から露出され、止水栓３８０と接続されている。そのため、給水配管１１１のほとんどを隠蔽することができる。これにより、衛生洗浄装置１００の見栄えが低下することを抑え、デザイン性を向上させることができる。また、止水栓３８０は、継ぎ手３５５を介してフレーム３５０に取り付けられ、化粧パネル３６０の第２の貫通孔３２０を通して露出している。そのため、衛生洗浄装置１００のメンテナンスを行う際には、より容易に止水栓３８０を操作することができる。
【００６７】
さらに、図６（ａ）に表したように、電源コード１１３は、第３の貫通孔３３０を通して壁３００の背後に収められている。そのため、電源コード１１３などの電気配線を隠蔽することができる。これにより、衛生洗浄装置１００の見栄えが低下することをさらに抑え、デザイン性をより向上させることができる。
【００６８】
なお、本具体例では、第１の貫通孔３１０と、第２の貫通孔３２０と、第３の貫通孔３３０と、は、別個に存在しているが、これだけに限定されるわけではない。第１の貫通孔３１０と第３の貫通孔３３０とは、互いに繋がっていてもよい。また、第１の貫通孔３１０と、第２の貫通孔３２０と、第３の貫通孔３３０と、は、互いに繋がっていてもよい。つまり、衛生洗浄装置１００を前方から後方へ向かってみたときに、ケーシング１１０により隠れる位置に設けられた部分と、大便器２００の下方から見える位置に設けられた部分と、を有する貫通孔が化粧パネル３６０に設けられていればよい。
【００６９】
次に、図２に関して前述したように、給水配管１１１が壁３００とパネル体４００との間に隠蔽される場合の具体例について説明する。  
図１１は、本発明の他の実施の形態にかかる衛生洗浄装置ならびに衛生洗浄装置の給水配管構造および取付方法の具体例を表す模式図である。  
また、図１２は、本具体例のパネル体を表す平面模式図である。  
なお、図１１（ａ）は、本具体例にかかる衛生洗浄装置を側方から眺めた断面模式図であり、図１１（ｂ）は、本具体例にかかる衛生洗浄装置を前方から眺めた平面模式図である。また、図１２は、本具体例のパネル体を後方から眺めた平面模式図である。
【００７０】
本具体例では、壁３００の表面パネル３７０の前方、詳しくは、表面パネル３７０と、大便器２００のボウル部２０１と、のあいだにパネル体４００が設けられている。図１２に表したように、パネル体４００には、第１の貫通孔４１０と、第２の貫通孔４２０と、第３の貫通孔４３０と、大便器孔４４０と、が設けられている。第１の貫通孔４１０と、第２の貫通孔４２０と、は、図２に関して前述した如くである。図１１（ｂ）に表したように、第３の貫通孔４３０は、衛生洗浄装置１００を前方から後方へ向かってみたときに、ケーシング１１０により隠れる位置に設けられている。
【００７１】
図１２に表したように、大便器孔４４０は、パネル体４００の略中央部に設けられ、大便器２００およびパネル体４００を前方から後方へ向かってみたときに、大便器２００の外形よりも大きい。そして、ボルト３５１（図７参照）や図示しないナットなどによりフレーム３５０に取り付けられた大便器２００に、パネル体４００に設けられた大便器孔４４０を通して、パネル体４００は、表面パネル３７０の近くに設けられる。
【００７２】
また、図１２に表したように、パネル体４００には、後方側の面（背面）から後方へ突出する案内壁４１５が設けられている。案内壁４１５は、第１の貫通孔４１０と、第２の貫通孔４２０と、を繋ぐように設けられている。案内壁４１５の高さ（背面から先端までの長さ）は、例えば約２ｃｍ（センチメートル）程度である。
【００７３】
本具体例では、図１１（ａ）に表したように、給水配管１１１は、パネル体４００に設けられた第１の貫通孔４１０を介してパネル体４００の背後に通されている。すなわち、給水配管１１１は、表面パネル３７０とパネル体４００とのあいだに隠蔽されている。そして、給水配管１１１の先端は、第２の貫通孔４２０から露出され、止水栓３８０と接続されている。その他の衛生洗浄装置１００ならびに衛生洗浄装置１００の給水配管構造および取付方法は、図６〜図１０に関して前述した衛生洗浄装置１００ならびに衛生洗浄装置１００の給水配管構造および取付方法の具体例と同様である。
【００７４】
本具体例によれば、壁３００の表面パネル３７０と、パネル体４００と、の間に給水配管１１１が隠蔽されているため、既設の大便器２００を交換したり、壁３００の修繕を行うことなく、給水配管１１１のほとんどを隠蔽することができる。そのため、作業の手間やコストなどを抑えつつ、衛生洗浄装置１００の見栄えが低下することを抑え、デザイン性を向上させることができる。また、その他の効果についても、図６〜図１０に関して前述した具体例の効果と同様の効果が得られる。
【００７５】
さらに、パネル体４００の背面には、第１の貫通孔４１０と、第２の貫通孔４２０と、を繋ぐように案内壁４１５が設けられている。そのため、給水配管１１１を第１の貫通孔４１０に通して押し込むと、給水配管１１１は、案内壁４１５に案内され第２の貫通孔４２０へ導かれる。これにより、第１の貫通孔４１０と、第２の貫通孔４２０と、に給水配管１１１を通す作業をより容易に行うことができる。
【００７６】
なお、本具体例では、第１の貫通孔４１０と、第２の貫通孔４２０と、第３の貫通孔４３０と、は、別個に存在しているが、これだけに限定されるわけではない。第１の貫通孔４１０と第３の貫通孔４３０とは、互いに繋がっていてもよい。また、第１の貫通孔４１０と、第２の貫通孔４２０と、第３の貫通孔４３０と、は、互いに繋がっていてもよい。つまり、衛生洗浄装置１００を前方から後方へ向かってみたときに、ケーシング１１０により隠れる位置に設けられた部分と、大便器２００の下方から見える位置に設けられた部分と、を有する貫通孔がパネル体４００に設けられていればよい。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００や壁３００やパネル体４００などが備える各要素の形状、寸法、材質、配置などや止水栓３８０や給水配管１１１や電源コード１１３などの設置形態などは、例示したものに限定されるわけではなく適宜変更することができる。  
また、電源コンセント５４０に接続する電源コード１１３を設けずに、衛生洗浄装置１００に電池を内蔵してもよい。また、壁３００の下端縁に切欠きを形成して、その切欠きを第２の貫通孔３３０にすることができる。また、フレーム３５０に固定した継ぎ手３５５に取り付けた止水栓３８０は、第２の貫通孔３２０、４２０を利用して壁３００の前方に露出させているが、壁３００に第４の貫通孔を形成して継ぎ手３５５と止水栓３８０を露出させることができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１００ 衛生洗浄装置、  １０１ 後方部、  １１０ ケーシング、  １１１ 給水配管、  １１３ 電源コード、  １２０ 便座、  １３０ 便蓋、  ２００ 大便器、  ２０１ ボウル部、  ２１０ ベースプレート、  ３００ 壁、  ３１０ 第１の貫通孔、  ３２０ 第２の貫通孔、  ３３０ 第３の貫通孔、  ３４１ ボルト孔、  ３４３ 給水管孔、  ３４５ 排水管孔、  ３５０ フレーム、  ３５１ ボルト、  ３５３ アングル、  ３５４ 孔、  ３５５ 継ぎ手、  ３５６ 締結部材、  ３６０ 化粧パネル、  ３７０ 表面パネル、  ３８０ 止水栓、  ３８１ 緩衝部材、  ３８２ アングル、  ４００ パネル体、  ４１０ 第１の貫通孔、  ４１５ 案内壁、  ４２０第２の貫通孔、  ４３０ 第３の貫通孔、  ４４０ 大便器孔、  ５１０ 給水タンク、  ５２０ 給水管、  ５３０ 排水管、  ５４０ 電源コンセント
【図１】
0005729598.tif 000002
【図２】
0005729598.tif 000003
【図３】
0005729598.tif 000004
【図４】
0005729598.tif 000005
【図５】
0005729598.tif 000006
【図６】
0005729598.tif 000007
【図７】
0005729598.tif 000008
【図８】
0005729598.tif 000009
【図９】
0005729598.tif 000010
【図１０】
0005729598.tif 000011
【図１１】
0005729598.tif 000012
【図１２】
0005729598.tif 000013